(57)【特許請求の範囲】
【請求項１】
浴室の壁に天井を固定する天井固定部材において、天井が平天井と斜め天井で構成されており、天井固定部材は壁固定部と平天井押さえ部と斜め天井固定部を備えており、天井固定部材は、平天井と斜め天井をまたぐ位置に設けられていることを特徴とする天井固定部材。
【請求項２】
請求項１に記載の天井固定部材において、斜め天井固定部は固定用孔を備え、固定用孔は長孔形状に形成されていることを特徴とする天井固定部材。                
【請求項３】
請求項１または２のいずれかに記載の天井固定部材において、壁の上端は壁の表面から裏面に向かって折り返し部が設けられており、天井固定部材は折り返し部に引っ掛けて固定されることを特徴とする天井固定部材。
【発明の詳細な説明】
【技術分野】
【０００１】
本発明は、天井固定部材に関するものである。
【背景技術】
【０００２】
従来、システムバスの組立設置を行う際に、建物の梁が出っ張っていて、システムバスを設置できない場合は、設置現場で、梁に干渉しないように、システムバスの側壁等を斜めに切断し、その上に、斜め天井を固定して設置する従来技術が採用されている。
【０００３】
この斜め天井の固定については、側壁の斜めに切断した斜面に、天井固定ピース（天井に形成された孔に差し込んで固定する突起物）を有する帯片を、両面接着テープによって貼り付け、斜め天井を帯片の上に載置し、斜め天井に天井固定ピースを差し込むことで、固定している。
【０００４】
ところで、公知技術として、浴室ユニットを設置する場合、傾斜パネル（斜め天井）を水平パネル（平天井）に固定するために、傾斜パネルの上端のパネル立ち上がり部と、水平パネルの立ち上がり部を重ね合わされた状態でビスにより締結する構成が知られている（特許文献１参照）。
【０００５】
また、天井パネル（平天井）と斜め天井パネル（斜め天井）の連結を、斜め天井パネルの上端部と天井パネルの斜め天井パネル側の端部との間に亙って、互いに隙間溝を有する本体部材とバネ片から成る連結具を配置し、両者を連結させる構成が知られている（特許文献２参照）。
【先行技術文献】
【特許文献】
【０００６】
【特許文献１】特許第３１８４７２２号公報
【特許文献２】特許第４９８９４５１号公報
【発明の概要】
【発明が解決しようとする課題】
【０００７】
上記従来技術である、側壁を切断した斜面に天井固定ピースを有する帯片を貼り付け、斜め天井を帯片の上に載置し、斜め天井に天井固定ピースを差し込むことで、固定する手段によると、斜面に沿った長さを有する天井固定ピースを有する帯片が必要である。
【０００８】
また、側壁の裏面には、通常、補強および断熱のために石膏ボードが貼り付けられており、側壁を斜めに切断すると、石膏ボードが部分的に崩落したり、崩落が生じなくても、石膏ボードの切断面が凹凸等を有する粗面であったりすると、天井固定ピースを有する帯片が強固に接着できない。
【０００９】
さらに、石膏ボードは、その表層が通常紙が貼り付けられているため、天井固定ピースを有する帯片と紙が接着される箇所の接着力が弱くなるだけでなく、接着後、天井固定ピースを有する帯片がずれた際に、石膏ボードの表層の紙を引っ張って剥がしてしまう等の問題もある。
【００１０】
特許文献１に記載された平天井と斜め天井の連結構造は、斜め天井と平天井にそれぞれビスで締結するための立ち上がり部を予め形成しておかなくてはならないので、そのための工程が必要となり、また、立ち上がり部に沿って、複数箇所、ビス止めする作業が必要となる等の手間がかかる。
【００１１】
また、特許文献２に記載された平天井と斜め天井の連結構造は、互いの間に隙間溝を有する本体部材とバネ片とから成る連結具が必要で、部品点数が多くなるという問題がある。
【００１２】
本発明は、上記従来の問題を解決することを目的とし、壁の上に平天井と斜め天井を、きわめて簡単な作業で取り付けることのできる簡単な構造の天井固定部材を実現することを課題とする。
【課題を解決するための手段】
【００１３】
本発明は上記課題を解決するために、浴室の壁に天井を固定する天井固定部材において、天井が平天井と斜め天井で構成されており、天井固定部材は壁固定部と平天井押さえ部と斜め天井固定部を備えており、天井固定部材は、平天井と斜め天井をまたぐ位置に設けられていることを特徴とする天井固定部材を提供する
【００１５】
斜め天井固定部は固定用孔を備え、固定用孔は長孔形状に形成されていることが好ましい。
【００１６】
壁の上端は壁の表面から裏面に向かって折り返し部が設けられており、天井固定部材は折り返し部に引っ掛けて固定されることが好ましい。 
【発明の効果】
【００１７】
本発明によれば、天井固定部材で、壁の上に平天井と斜め天井を、きわめて簡単な作業で取り付けることのでき、部品点数を滅らして施工の簡略化が可能となる。
【図面の簡単な説明】
【００１８】
【図１】本発明に係る天井固定部材の実施例を説明する図であり、天井固定部材で取り付けられるシステムバスの側壁および天井を示す斜視図であり、（ａ）は斜め前方から見た図であり、（ｂ）は斜め後方から見た図である。
【図２】上記実施例を説明する図であり、天井固定部材で取り付けられる壁を示す図であり、（ａ）は外側面を示す図であり、（ｂ）は（ａ）のＢ−Ｂ断面図である。
【図３】上記実施例を説明する図であり、固定部材で取り付けられる平天井を示す図であり、（ａ）は平面図であり、（ｂ）は（ａ）のＢ−Ｂ断面図であり、（ｃ）は（ａ）のＣ−Ｃ断面図である。
【図４】上記実施例を説明する図であり、固定部材で取り付けられる斜め天井を示す図であり、（ａ）は平面図であり、（ｂ）は（ａ）のＢ−Ｂ断面図であり、（ｃ）は（ａ）のＣ−Ｃ断面図であり、（ｄ）は（ａ）のＤ−Ｄ断面図である。
【図５】上記実施例の天井固定部材の斜視図である。
【図６】（ａ）〜（ｃ）は、上記実施例の天井固定部材を壁に取り付ける工程を説明する図である。
【図７】上記実施例の天井固定部材で、壁と斜め天井を固定した状態を示す斜視図であり、（ａ）はシステムバスの外側から見た図であり、（ｂ）は浴室内側から見た図である。
【図８】（ａ）は、上記実施例の天井固定部材で固定した壁と斜め天井に、さらに平天井を固定する工程を示す斜視図であり、（ｂ）は、上記実施例の天井固定部材によって、壁、斜め天井および平天井を固定した構造を示す斜視図である。
【発明を実施するための形態】
【００１９】
本発明に係る天井固定部材を実施するための形態を実施例に基づき図面を参照して、以下説明する。
【実施例】
【００２０】
本発明に係る天井固定部材の実施例を、図１〜８において説明する。この天井固定部材１は、図１（ａ）、（ｂ）に示すように、浴室の壁２に、浴室の天井３を固定するものである。天井３は、平天井６と斜め天井７を備えている。
【００２１】
本明細書および本発明の説明では、建物の梁８（図１（ａ）参照）を避けてシステムバス１１を設置するが、建物の梁８に向かってシステムバス１１を正面視し、手前側（図１（ａ）では右側）を前方とし、建物の梁８側（図１（ａ）では左側）を後方とし、左右側を側方とする。また、浴室を構成する壁２および天井３等について、浴室内側を表面側（内面側）とし、浴室の外側を裏面側（外面側）とする。
【００２２】
壁２は、図２（ａ）、（ｂ）に示すように、鋼板から成る本体部１４と、本体部１４の裏面１８に貼り付けられた補強および断熱のための石膏ボード１５と、を備えている。壁２における、建物の梁８に対応する上部は、組立現場において、図２（ａ）に示すように、斜めに切断され、傾斜面１６が形成されている。
【００２３】
壁２の上端は、図２（ｂ）に示すように、壁２の本体部１４の表面１７から裏面１８に向かって折り返し部２１が設けられている。この折り返し部２１は、水平部２２と、その先端側から表面１７側に向け斜め下方に折り曲げたフック部２３と、を備えている。なお、壁２の前端および後端についても、同様の折り返し部２１が設けられている。
【００２４】
平天井６は、図３（ａ）に示すように、鋼板から成る平面視で矩形の本体部２６と、本体部２６の裏面に貼り付けられた補強および断熱のための石膏ボード２７と、を備えている。
【００２５】
本体部２６の周囲には、図３（ｂ）、（ｃ）に示すように、上方への立ち上がり部２８が形成されている。立ち上がり部２８の上端から内側への折り返し部２９が形成され、さらに下方への折り曲げ部３０が形成されている。
【００２６】
斜め天井７は、図４（ａ）に示すように、鋼板から成る本体部３４と、本体部３４の裏面に貼り付けられた補強および断熱のための石膏ボード３５と、を備えている。斜め天井７の側端は、図４（ｂ）に示すように、上方への立ち上がり部３６が形成されている。
【００２７】
そして、立ち上がり部３６の上端から内側に向けた折り返し部３７が形成され、さらに下方への折り曲げ部３８が形成されている。立ち上がり部３６の前端側には、後記する結束バンド６６を挿通するための結束バンド挿通孔３９が形成されている。この結束バンド挿通孔３９は、立ち上がり部３６にではなく、折り返し部３７に設けても良い。
【００２８】
斜め天井７の後端には、図４（ｃ）に示すように、側端と同様に、上方への立ち上がり部３６、折り返し部３７および折り曲げ部３８が形成されている。斜め天井７の前端は、図４（ａ）、（ｄ）に示すように、前端縁に沿って、鋼製の断面矩形のパイプから成る補強材４０が、例えば両面接着テープで貼り付けられている。
【００２９】
天井固定部材１は、鋼板を材料として、図５に示すような形状で形成されており、その概要は、本体部としての垂直壁４５を有し、壁固定部４６と、平天井押さえ部４７と、斜め天井固定部４８と、を備えている。
【００３０】
壁固定部４６は、垂直壁４５の下端の前部（前側半分程度の部分）５２から内側方に水平に折り曲げられた水平部５３と、水平部５３の先端が垂直壁４５に向け斜め上方に折り返されたフック状の壁引っ掛け部５４と、を有する。垂直壁４５の下端の後部（後側半分程度の部分）５６には、壁固定部４６は形成されていない。
【００３１】
平天井押さえ部４７は、垂直壁４５の上端が内側方に水平に折り曲げられて形成されている。斜め天井固定部４８は、垂直壁４５の前後に、中央部６１を挟んで形成された前部固定用孔６２と後部固定用孔６３を備えている。前部固定用孔６２と後部固定用孔６３は、それぞれ結束バンド６６を通すことが可能であり、上下方向が長い長孔形状に形成されている。
【００３２】
結束バンド６６は、樹脂等の材料で形成され、その基端に形成された基端孔６７に先端部６９を挿通して結束ループ６８を形成し、先端部６９を引っ張って結束ループ６８を縮めることで、結束ループ６８内に物を結束する周知の構成のものを使用する。
【００３３】
（取り付け工程、作用）
次に、天井固定部材１の構成をより明確にするために、天井固定部材１を使用して、浴室の壁２に、平天井６と斜め天井７を取り付ける取り付け構造を、その取り付け工程、作用とともに、以下説明する。
【００３４】
壁２の傾斜面１６上に斜め天井７を載置した状態で、図６（ａ）に示すように、天井固定部材１を、その壁固定部４６側から、壁２の折り返し部２１と石膏ボード１５との間に差し込む。 
【００３５】
そして、天井固定部材１を、図６（ｂ）に示すように、外側に回転しながら、壁固定部４６の壁引っ掛け部５４を、壁２の折り返し部２１、より詳細にはそのフック部２３に引っ掛けて、図６（ｃ）に示すような状態にする。
【００３６】
天井固定部材１の下端の後部５６には、前部５２のように内側に突き出した壁固定部４６が設けられていないので、天井固定部材１の後側の内面は、斜め天井７の前端における側部の立ち上がり部３６に当接させることができる（図６（ｃ）、図７（ａ）、（ｂ）参照）。これによって、天井固定部材１は、平天井６と斜め天井７をまたぐ位置に設けられることとなる（図７（ａ）、（ｂ）参照）。
【００３７】
この状態で、結束バンド６６の先端部６９を、後部固定用孔６３から挿入して、斜め天井７の立ち上がり部３６に形成された結束バンド挿通孔３９に挿通し、さらに前部固定用孔６２に挿通して外側に取り出し、結束バンド６６の基端孔６７に挿通して、結束バンド６６の先端部６９を引っ張って、図７（ａ）、（ｂ）に示すように、天井固定部材１と斜め天井７を結束して固定する。
【００３８】
次に、平天井６を、図８（ａ）に示すように、天井固定部材１の壁固定部４６と壁２の折り返し部２１との間に、滑り込ませるように差し込み、図８（ｂ）に示すように、平天井６を、壁２の折り返し部２１上に載置する。
【００３９】
これによって、平天井６は、天井固定部材１の壁固定部４６と壁２の折り返し部２１の間に挟持されることとなる。以上の工程によって、天井固定部材１を使用して、浴室の壁２に、平天井６と斜め天井７を取り付ける取り付け構造が完成する。
【００４０】
以上のとおり、天井固定部材１を使用すれば、その壁引っ掛け部５４を、壁２の上端の折り返し部２１に引っ掛けて、平天井６をその壁固定部４６と壁２の上端の折り返し部２１の間に挟持し、しかも、結束バンド６６で斜め天井７と壁２を結束することで、従来技術のように、両面接着テープや複数の固定部品等を使用せずに、壁２に、斜め天井７および平天井６を、きわめて簡単な作業で取り付けることができる。
【００４１】
特に、天井固定部材１は、図５に示すように、きわめて簡単な構造であるが、斜め天井７を結束バンド６６で結束して壁２の傾斜面１６上に取り付けることができ、しかも平天井６を壁固定部４６と壁２の上端の折り返し部２１の間に挟持して取り付けることができる、という複数の機能を一つの部材で発揮できるので、部材の点数が減らすことが可能となる。
【００４２】
ところで、建物の梁８を回避するために壁２を切断して傾斜面１６を形成するが、建物内における梁８の張り出し状態等の建物の構造に応じて、切断して形成する傾斜面１６の傾斜角度は異なり、その結果、斜め天井７の取り付け角度も異なる。
【００４３】
しかし、天井固定部材１を使用すれば、斜め天井７の取り付け角度がいろいろな角度であっても、斜め天井７および平天井６を取り付けることが可能である。
【００４４】
特に、天井固定部材１に形成した前部固定用孔６２および後部固定用孔６３は、長孔形状に形成されているので、施工現場で切断して形成する傾斜面１６の傾斜角度の異なり、或いは傾斜面の切断の際の加工のばらつき、等に起因する傾斜面１６に対応する斜め天井７の取り付け角度がいろいろな角度となっても、結束バンド６６による結束作業は、容易に行うことができる。
【００４５】
また、壁２を切断して形成した傾斜面１６に、従来技術のように、天井固定ピースを有する帯片を貼り付けるようなことをしないので、傾斜面１６に切断の際に生じる多少の粗面があっても、影響を受けずに、斜め天井７を壁２に取り付けることが可能となる。
【００４６】
以上、本発明に係る天井固定部材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係る天井固定部材は上記のような構成であるから、浴室の壁に天井を取り付ける場合だけでなく、上端に水平面と傾斜面を有する板材上に、傾斜板と水平板を取り付ける各種の取り付け構造にも適用可能である。
【符号の説明】
【００４８】
１  天井固定部材    
２  壁         
３  天井     
６  平天井     
７  斜め天井    
８  建物の梁   
１１  システムバス      
１４  壁の本体部   
１５  壁の石膏ボード    
１６  傾斜面      
１７  壁の本体部の表面  
１８  壁の本体部の裏面    
２１  壁の折り返し部     
２２  折り返し部の水平部  
２３  折り返し部のフック部   
２６  平天井の本体部    
２７  平天井の石膏ボード   
２８  平天井の立ち上がり部   
２９  平天井の折り返し部     
３０  平天井の折り曲げ部  
３４  斜め天井の本体部    
３５  斜め天井の石膏ボード    
３６  斜め天井の立ち上がり部    
３７  斜め天井の折り返し部   
３８  斜め天井の折り曲げ部   
３９  結束バンド挿通孔                           
４０  補強材   
４５  天井固定部材の垂直壁 
４６  天井固定部材の壁固定部  
４７  天井固定部材の平天井押さえ部   
４８  天井固定部材の斜め天井固定部   
５２  天井固定部材の垂直壁の下端の前部    
５３  壁固定部の水平部   
５４  壁固定部の壁引っ掛け部  
５６  垂直壁の下端の後部   
６１  中央部   
６２  前部固定用孔  
６３  後部固定用孔  
６６  結束バンド    
６７  基端孔   
６８  結束ループ   
６９  先端部    
【図１】
0006613057.tif 000002
【図２】
0006613057.tif 000003
【図３】
0006613057.tif 000004
【図４】
0006613057.tif 000005
【図５】
0006613057.tif 000006
【図６】
0006613057.tif 000007
【図７】
0006613057.tif 000008
【図８】
0006613057.tif 000009